(57)【要約】      （修正有）【課題】温度設定手段で予め決められている複数の暖房設定温度を十分に利用することができる技術を提供する。【解決手段】記憶装置は、予め決められている複数の第１の暖房設定温度のそれぞれに対応する第１の熱動弁Ｖ１の単位時間あたりの第１の開時間を特定する第１の対応表Ｔ１を記憶している。制御装置は、サーミスタで測定された第１の部屋Ｒ１の温度が第１の温度設定手段で設定された第１の暖房設定温度より低い場合は、第１の対応表Ｔ１において予め決められている複数の第１の暖房設定温度のそれぞれに対応する第１の熱動弁Ｖ１の単位時間あたりの第１の開時間を長くする修正を行う。【選択図】図４
2018009724.tif 000002
【特許請求の範囲】
【請求項１】
熱媒を加熱する熱源機と、
熱媒の熱によって第１の部屋を暖房する第１の暖房端末と、
前記熱源機によって加熱された熱媒を前記第１の暖房端末に供給する第１の熱媒供給路と、
前記第１の熱媒供給路を開閉する第１の開閉弁と、
前記第１の暖房端末によって暖房された前記第１の部屋の温度を測定する温度センサと、
予め決められている複数の暖房設定温度を設定可能な温度設定手段と、
記憶手段と、
制御手段を備えており、
前記記憶手段は、複数の暖房設定温度のそれぞれに対応する前記第１の開閉弁の単位時間あたりの開時間を特定する対応情報を記憶しており、
前記制御手段は、前記温度設定手段で暖房設定温度が設定されると、前記記憶手段が記憶している前記対応情報に基づいて、設定された暖房設定温度に対応する前記第１の開閉弁の単位時間あたりの開時間を特定し、特定した単位時間あたりの開時間で前記第１の開閉弁が開状態になるように前記第１の開閉弁の動作を制御し、所定の時間が経過したときに、前記温度センサで測定された前記第１の部屋の温度と、前記温度設定手段で設定された暖房設定温度とを比較し、前記温度センサで測定された前記第１の部屋の温度が前記温度設定手段で設定された暖房設定温度より低い場合は、前記対応情報において予め決められている複数の暖房設定温度のそれぞれに対応する前記第１の開閉弁の単位時間あたりの開時間を長くする第１の修正を行う、暖房システム。
【請求項２】
熱媒の熱によって第２の部屋を暖房する第２の暖房端末と、
前記熱源機によって加熱された熱媒を前記第２の暖房端末に供給する第２の熱媒供給路と、
前記第２の熱媒供給路を開閉する第２の開閉弁を更に備えており、
前記制御手段は、前記第１の修正を行う場合は、前記第２の部屋の予め決められている複数の暖房設定温度のそれぞれに対応する前記第２の開閉弁の単位時間あたりの開時間を長くする第２の修正を行う、請求項１に記載の暖房システム。
【請求項３】
前記制御手段は、所定の時間間隔で、前記温度センサで測定された前記第１の部屋の温度と前記温度設定手段で設定された暖房設定温度を比較する、請求項１又は２に記載の暖房システム。
【請求項４】
前記制御手段は、外気温度に基づいて、前記対応情報における修正前の前記第１の開閉弁の単位時間あたりの開時間を設定する、請求項１から３のいずれか一項に記載の暖房システム。
【発明の詳細な説明】
【技術分野】
【０００１】
本明細書に開示する技術は、暖房システムに関する。
【背景技術】
【０００２】
特許文献１には、熱媒を加熱する熱源機と、熱媒の熱によって部屋を暖房する暖房端末と、熱源機によって加熱された熱媒を暖房端末に供給する熱媒供給路と、熱媒供給路を開閉する熱動弁と、制御手段とを備えている暖房システムが開示されている。また、この暖房システムは、予め決められている複数の暖房設定温度の中から部屋を暖房するときの暖房設定温度を設定可能な温度設定手段を備えている。
【０００３】
特許文献１の暖房システムでは、利用者が部屋を暖房したい場合は、温度設定手段で暖房設定温度を設定する。利用者は、予め決められている複数の暖房設定温度の中から、希望する暖房設定温度を選択する。温度設定手段で暖房設定温度が設定されると、制御手段が、設定された暖房設定温度に対応する開時間で熱動弁を開状態にするように熱動弁の動作を制御する。熱動弁が開状態になると暖房端末に熱媒が供給される。暖房端末に供給される熱媒の熱によって部屋が暖房され、部屋の温度が温度設定手段で設定された暖房設定温度まで上昇する。
【先行技術文献】
【特許文献】
【０００４】
【特許文献１】特開２０１３−２３４７７７号公報
【発明の概要】
【発明が解決しようとする課題】
【０００５】
特許文献１の暖房システムでは、暖房される部屋の断熱性能が悪いことによって、利用者が暖房設定温度を設定したにもかかわらず、部屋の温度がその暖房設定温度まで上昇しないことがある。例えば、利用者が暖房設定温度を２０℃に設定したにもかかわらず、部屋の断熱性能が悪いことによって、部屋の温度が２０℃（暖房設定温度）より低い１８℃までしか上昇しないことがある。
【０００６】
このような場合には、利用者は、部屋の温度を希望温度である２０℃まで上げるために、暖房設定温度を２０℃より高い温度に設定しなければならない。例えば、利用者は、暖房設定温度を２０℃より高い２２℃に設定する。２２℃の暖房設定温度によって、部屋の温度が利用者の希望温度である２０℃まで上昇する。
【０００７】
しかしながら、利用者が暖房設定温度を上記のように設定すると、温度設定手段で予め決められている複数の暖房設定温度の中から利用者が実質的に利用できる暖房設定温度の数が少なくなってしまう。例えば、温度設定手段では２０℃から２８℃までの暖房設定温度を１℃刻みで設定可能であるとする。すなわち、温度設定手段では９段階の暖房設定温度を設定可能であるとする。利用者は、９段階の暖房設定温度を利用することができる。しかしながら、上記のように、利用者が暖房設定温度を２０℃に設定したにもかかわらず、部屋の断熱性能が悪いことによって、部屋の温度が２０℃（暖房設定温度）より低い１８℃までしか上昇しないことがある。そして、部屋の温度を２０℃まで上げるために、利用者が暖房設定温度を２０℃より高い２２℃に設定しなければならないことがある。このような場合には、利用者が部屋の温度を２０℃にしたい場合には暖房設定温度を２２℃に設定しなければならないので、利用者の希望温度と暖房設定温度が対応しなくなる。そのため、利用者が部屋の温度を２０℃以上にしたい場合には、２０℃と２１℃の暖房設定温度を実質的に利用することができず、２２℃から２８℃の７段階の暖房設定温度しか実質的に利用することができなくなる。その結果、部屋の温度を２０℃以上にしたい場合には、利用者が実質的に利用できる暖房設定温度が元の９段階から７段階に減少してしまう。そのため、温度設定手段で予め決められている複数の暖房設定温度を十分に利用することができなくなる。そこで本明細書は、温度設定手段で予め決められている複数の暖房設定温度を十分に利用することができる技術を提供する。
【課題を解決するための手段】
【０００８】
本明細書に開示する暖房システムは、熱媒を加熱する熱源機と、熱媒の熱によって第１の部屋を暖房する第１の暖房端末と、熱源機によって加熱された熱媒を第１の暖房端末に供給する第１の熱媒供給路と、第１の熱媒供給路を開閉する第１の開閉弁と、を備えている。また、この暖房システムは、第１の暖房端末によって暖房された第１の部屋の温度を測定する温度センサと、予め決められている複数の暖房設定温度を設定可能な温度設定手段と、記憶手段と、制御手段を備えている。記憶手段は、複数の暖房設定温度のそれぞれに対応する第１の開閉弁の単位時間あたりの開時間を特定する対応情報を記憶している。制御手段は、温度設定手段で暖房設定温度が設定されると、記憶手段が記憶している対応情報に基づいて、設定された暖房設定温度に対応する第１の開閉弁の単位時間あたりの開時間を特定し、特定した単位時間あたりの開時間で第１の開閉弁が開状態になるように第１の開閉弁の動作を制御する。また、制御手段は、所定の時間が経過したときに、温度センサで測定された第１の部屋の温度と、温度設定手段で設定された暖房設定温度とを比較し、温度センサで測定された第１の部屋の温度が温度設定手段で設定された暖房設定温度より低い場合は、対応情報において予め決められている複数の暖房設定温度のそれぞれに対応する第１の開閉弁の単位時間あたりの開時間を長くする第１の修正を行う。
【０００９】
上記の構成では、温度設定手段で予め決められている複数の暖房設定温度の中から第１の部屋を暖房するときの暖房設定温度を利用者が設定可能である。例えば、温度設定手段では２０℃から２８℃以上までの暖房設定温度を１℃刻みで設定可能であるとする。すなわち、温度設定手段では９段階の暖房設定温度を設定可能であるとする。これによって、利用者は、９段階の暖房設定温度を利用することができる。
【００１０】
また、上記の構成では、記憶手段が、暖房設定温度に対応する開時間を特定する対応情報を記憶している。例えば、上述のように、予め決められている複数の暖房設定温度が２０℃から２８℃以上まで１℃刻みで存在するとする。すなわち、予め決められている複数の暖房設定温度が２０℃、２１℃、２２℃・・・であるとする。また、これらの複数の暖房設定温度（２０℃、２１℃、２２℃・・・）のそれぞれに対応する第１の開閉弁の単位時間（例えば２０分）あたりの開時間が９分、１０分、１１分・・・であるとする。記憶手段は、これらの対応を特定する対応情報を記憶している。
【００１１】
また、上記の構成では、制御手段が、上記の対応情報に基づいて、温度設定手段で利用者によって設定された暖房設定温度に対応する第１の開閉弁の単位時間あたりの開時間を特定し、特定した単位時間あたりの開時間で第１の開閉弁が開状態になるように第１の開閉弁の動作を制御する。例えば、利用者が設定した暖房設定温度が２０℃であり、その暖房設定温度（２０℃）に対応する第１の開閉弁の単位時間（２０分）あたりの開時間が９分であるとする。そうすると、制御手段は、単位時間（２０分）あたり９分の開時間で第１の開閉弁を開状態にする。第１の開閉弁が開状態になると、熱媒が第１の熱媒供給路を介して熱源機から第１の暖房端末に供給される。第１の開閉弁が暖房設定温度に対応する単位時間あたりの開時間で開状態になることによって、暖房設定温度に対応する流量の熱媒が第１の暖房端末に供給される。第１の暖房端末に供給された熱媒の熱によって第１の部屋が暖房される。第１の部屋は、第１の部屋の温度が暖房設定温度（２０℃）になるように暖房される。このとき、本来であれば、第１の部屋の温度が暖房設定温度（２０℃）まで上昇する。しかしながら、第１の部屋の断熱性能が悪いことによって、第１の部屋の温度がその暖房設定温度（２０℃）まで上昇しないことがある。例えば、利用者が温度設定手段で暖房設定温度を２０℃に設定したにもかかわらず、第１の部屋の断熱性能が悪いことによって、第１の部屋の温度が２０℃（暖房設定温度）より低い１８℃までしか上昇しないことがある。
【００１２】
そこで、上記の構成では、制御手段が、暖房設定温度が設定されてから所定の時間が経過したときに、温度センサによって測定された第１の部屋の温度と、温度設定手段で設定された暖房設定温度とを比較し、温度センサで測定された第１の部屋の温度が温度設定手段で設定された暖房設定温度より低い場合は、対応情報において予め決められている複数の暖房設定温度のそれぞれに対応する第１の開閉弁の単位時間あたりの開時間を長くする修正を行う。上述した例では、暖房設定温度が設定されてから所定の時間が経過したときに、温度センサによって測定された第１の部屋の温度が１８℃である。一方、温度設定手段で設定された暖房設定温度が２０℃である。この場合、温度センサによって測定された第１の部屋の温度（１８℃）が、温度設定手段で設定された暖房設定温度（２０℃）より低いので、制御手段が、対応情報において予め決められている複数の暖房設定温度のそれぞれに対応する第１の開閉弁の単位時間あたりの開時間を長くする修正を行う。例えば、暖房設定温度２０℃に対応する第１の開閉弁の単位時間（２０分）あたりの開時間が９分を、それよりも長い１１分に修正する。また、その他の暖房設定温度に対応する開時間も同様に長くする修正を行う。
【００１３】
このような構成によれば、制御手段が対応情報において予め決められている複数の暖房設定温度のそれぞれに対応する第１の開閉弁の単位時間あたりの開時間を長くする修正を行うことよって、修正後には、修正前の開時間よりも長い時間にわたった第１の開閉弁が開状態になる。そのため、修正後には、第１の開閉弁の開時間が長いことによって、第１の熱媒供給路を介して熱源機から第１の暖房端末に供給される熱媒の流量が修正前よりも多くなる。その結果、修正後には第１の暖房端末の負荷が修正前よりも高くなる。これによって、利用者が修正前と修正後で同じ暖房設定温度を設定したとしても、修正後には第１の部屋の温度が修正前よりも高くなる。したがって、上述した例では、利用者が温度設定手段で暖房設定温度を２０℃に設定したときに、修正前には、第１の部屋の断熱性能が悪いことによって、第１の部屋の温度が２０℃（暖房設定温度）より低い１８℃までしか上昇しなかったが、修正後には、第１の部屋の断熱性能が悪くても、第１の部屋の温度が１８℃より高い２０℃（暖房設定温度）まで上昇する。
【００１４】
従来の技術では、上述したように、利用者が暖房設定温度を２０℃に設定したにもかかわらず、部屋の断熱性能が悪いことによって、部屋の温度が２０℃（暖房設定温度）より低い１８℃までしか上昇しない場合には、暖房設定温度を２０℃より高い２２℃に設定しなければならなかった。そのため、利用者が部屋の温度を２０℃以上にしたい場合には、２０℃と２１℃の暖房設定温度を利用することができず、２２℃から２８℃の７段階の暖房設定温度しか実質的に利用することができなくなっていた。
【００１５】
しかしながら、本明細書に開示する技術では、制御手段が第１の開閉弁の開時間を長くする修正を行うことによって、利用者が温度設定手段で暖房設定温度を２０℃に設定したときに、修正後には、第１の部屋の断熱性能が悪くても、第１の部屋の温度が２０℃（暖房設定温度）まで上昇する。そのため、利用者が部屋の温度を２０℃以上にしたい場合に、２０℃と２１℃の暖房設定温度を利用することができ、本来の２０℃から２８℃の９段階の暖房設定温度を利用することができる。したがって、温度設定手段で予め決められている複数の暖房設定温度を十分に利用することができる。
【図面の簡単な説明】
【００１６】
【図１】給湯暖房システム２の構成を模式的に示す図。
【図２】第１のリモコンＣ１（第１の温度設定手段の一例）の構成を模式的に示す図。
【図３】第２のリモコンＣ２（第２の温度設定手段の一例）の構成を模式的に示す図。
【図４】第１の暖房端末Ｈ１によって第１の部屋Ｒ１を暖房するときの第１の暖房設定温度と第１の熱動弁Ｖ１の単位時間（２０分）あたりの第１の開時間との対応を示す第１の対応表Ｔ１（第１の対応情報の一例）。
【図５】第２の暖房端末Ｈ２によって第２の部屋Ｒ２を暖房するときの第２の暖房設定温度と第２の熱動弁Ｖ２の単位時間（２０分）あたりの第２の開時間との対応を示す第２の対応表Ｔ２（第２の対応情報の一例）。
【図６】第１の実施例の暖房運転開始前に制御装置１００が実行する処理を示すフローチャート。
【図７】初期の第１の対応表Ｔ１を設定するときの外気温度と、最も低い第１の暖房設定温度（２０℃）に対応する第１の熱動弁Ｖ１の単位時間（２０分）あたりの第１の開時間との関係を示すグラフ。
【図８】第１の実施例の暖房運転時に制御装置１００が実行する処理を示すフローチャート。
【図９】第２の実施例の暖房運転開始前に制御装置１００が実行する処理を示すフローチャート。
【図１０】初期の第２の対応表Ｔ２を設定するときの外気温度と、最も低い第２の暖房設定温度（２０℃）に対応する第２の熱動弁Ｖ２の単位時間（２０分）あたりの第２の開時間との関係を示すグラフ。
【図１１】第２の実施例の暖房運転時に制御装置１００が実行する処理を示すフローチャート。
【発明を実施するための形態】
【００１７】
以下に説明する実施形態の主要な特徴を列記する。なお、以下に記載する技術要素は、それぞれ独立した技術要素であって、単独であるいは各種の組合せによって技術的有用性を発揮するものである。
【００１８】
（特徴１）本明細書に開示する暖房システムは、熱媒の熱によって第２の部屋を暖房する第２の暖房端末と、熱源機によって加熱された熱媒を第２の暖房端末に供給する第２の熱媒供給路と、第２の熱媒供給路を開閉する第２の開閉弁と、を備えていてもよい。制御手段は、前記第１の修正を行う場合は、第２の部屋の予め決められている複数の暖房設定温度のそれぞれに対応する第２の開閉弁の単位時間あたりの開時間を長くする修正を行ってもよい。
【００１９】
第１の部屋と第２の部屋の断熱性能はある程度同じであることが考えられる。そのため、第１の部屋の断熱性能が悪い場合は、第２の部屋の断熱性能も同じく悪いことが考えられる。そこで、制御手段は、第１の部屋と同様に第２の部屋についても修正処理を行う。上記の構成では、制御手段が、第１の開閉弁の単位時間あたりの開時間を修正する場合は、第２の開閉弁の単位時間あたりの開時間も修正する。第１の開閉弁の開時間を修正するか否かは、温度センサで測定された第１の部屋の温度に依存している。一方、第２の開閉弁の開時間を修正するか否かは、第２の部屋の温度に依存しない。第２の開閉弁の開時間を修正するか否かは、第１の開閉弁の開時間と同様に、温度センサで測定された第１の部屋の温度に依存している。よって、第２の部屋の温度を測定しなくても、温度センサによって第１の部屋の温度を測定することによって第２の開閉弁の開時間を修正することができる。したがって、単一の温度センサで第１の開閉弁の開時間と第２の開閉弁の開時間の両方を修正することができる。
【００２０】
（特徴２）本明細書に開示する暖房システムでは、制御手段が、所定の時間間隔で、温度センサで測定された第１の部屋の温度と温度設定手段で設定された暖房設定温度を比較してもよい。
【００２１】
このような構成によれば、所定の時間間隔で第１の開閉弁の開時間と第２の開閉弁の開時間を修正するか否かを判断することができる。
【００２２】
（特徴３）本明細書に開示する暖房システムでは、制御手段が、外気温度に基づいて、対応情報における修正前の第１の開閉弁の単位時間あたりの開時間を設定してもよい。
【００２３】
このような構成によれば、外気温度に応じて初期（修正前）の第１の開閉弁の開時間を設定することができる。例えば、外気温度が低い場合は、それに応じて初期（修正前）の第１の開閉弁の開時間を長く設定することができる。一方、外気温度が高い場合は、それに応じて初期（修正前）の第１の開閉弁の開時間を短く設定することができる。
【００２４】
（実施例）
図１に示すように、本実施例に係る給湯暖房システム２は、給湯系統１０４と、ヒートポンプ系統１０６と、暖房系統１０８と、制御装置１００とを備えている。
【００２５】
ヒートポンプ系統１０６は、ヒートポンプ５０（熱源機の一例）と、三流体熱交換器５８とを備える。ヒートポンプ５０は、冷媒（例えば、フロンガスＲ３２等）を循環させるための冷媒循環路５２と、熱交換器（蒸発器）５４と、ファン５６と、圧縮機６２と、膨張弁６０とを備えている。冷媒循環路５２は、三流体熱交換器５８内を通過している。また、熱交換器５４と、圧縮機６２と、膨張弁６０とは、冷媒循環路５２内に設置されている。上記の構成を備えるヒートポンプ５０の動作について説明する。圧縮機６２が動作することにより、冷媒循環路５２内の冷媒は、圧縮機６２で加圧されて高温高圧の気相状態になる。圧縮機６２で加圧されて高温高圧の気相状態となった冷媒は、三流体熱交換器５８に送り込まれ、熱回収路８８内の水、及び、タンク水循環路２０内の水と熱交換によって冷却されて凝縮し、液相状態となる。三流体熱交換器５８で冷却されて液相状態となった冷媒は、膨張弁６０に送られ、膨張弁６０で減圧されて低温低圧の液相状態となる。低温低圧の液相状態の冷媒は、熱交換器５４において、ファン５６で送風される外気との熱交換によって加熱されて蒸発し、気相状態となる。気相状態となった冷媒は、圧縮機６２に戻されて再び加圧される。従って、ヒートポンプ５０を動作させることにより、三流体熱交換器５８を通過する冷媒循環路５２内に高温高圧の冷媒を送り込むことができるようになる。
【００２６】
給湯系統１０４は、タンク１０と、タンク水循環路２０と、水道水導入路２４と、供給路３６と、バーナ加熱装置８１を備える。
【００２７】
タンク１０は、ヒートポンプ５０によって加熱された温水を貯える。タンク１０は、密閉型であり、断熱材によって外側が覆われている。タンク１０内には満水まで水が貯留されている。タンク１０には、サーミスタ１２、１４、１６、１８がタンク１０の高さ方向に略均等間隔で取り付けられている。各サーミスタ１２、１４、１６、１８は、その取付位置の水の温度を測定する。
【００２８】
タンク水循環路２０は、上流端がタンク１０の下部に接続されており、下流端がタンク１０の上部に接続されている。タンク水循環路２０には、循環ポンプ２２が介装されている。循環ポンプ２２は、タンク水循環路２０内の水を上流側から下流側へ送り出す。また、上述したように、タンク水循環路２０は、三流体熱交換器５８を通過している。そのため、ヒートポンプ５０を動作させると、タンク水循環路２０内の水が三流体熱交換器５８で加熱される。従って、循環ポンプ２２とヒートポンプ５０を動作させると、タンク１０の下部の水が三流体熱交換器５８に送られて加熱され、加熱された水がタンク１０の上部に戻される。タンク水循環路２０は、タンク１０に蓄熱するための水路である。
【００２９】
水道水導入路２４は、上流端が水道水供給源３２に接続されている。水道水導入路２４の下流側は、第１導入路２４ａと第２導入路２４ｂに分岐している。第１導入路２４ａの下流端は、タンク１０の下部に接続されている。第２導入路２４ｂの下流端は、供給路３６の途中に接続されている。接続部には、第１導入路２４ａ（即ち供給路３６）を流れる水の流量と第２導入路２４ｂを流れる水の流量の比率を調整する混合弁３６ａが配置されている。第１導入路２４ａには、逆止弁２６が介装されている。第２導入路２４ｂには、逆止弁２８と水量センサ３０が介装されている。水量センサ３０は、第２導入路２４ｂ内を流れる水道水の流量を検出する。
【００３０】
供給路３６は、上流端がタンク１０の上部に接続されている。上述したように、供給路３６の途中には、水道水導入路２４の第２導入路２４ｂが接続されている。第２導入路２４ｂとの接続部より上流側の供給路３６には、水量センサ３４が介装されている。水量センサ３４は、タンク１０から供給路３６内に流入する水の流量を検出する。第２導入路２４ｂとの接続部より下流側の供給路３６には、バーナ加熱装置８１が介装されている。バーナ加熱装置８１は、供給路３６内の水を加熱する。供給路３６の下流端は給湯栓３８に接続されている。供給路３６には、バーナ加熱装置８１をバイパスする流路であるバイパス路３６ｂが設けられている。また、バイパス路３６ｂには、バイパス路３６ｂの開度を調整するためのバイパス制御弁３６ｃが介装されている。
【００３１】
暖房系統１０８は、シスターン７０と、暖房用水循環路７１と、バーナ加熱装置８２と、６個の暖房端末（第１の暖房端末Ｈ１〜第６の暖房端末Ｈ６）と、６個の熱動弁（第１の熱動弁Ｖ１〜第６の熱動弁Ｖ６）とを備えている。また、暖房系統１０８は、６個のリモコン（第１のリモコンＣ１〜第６のリモコンＣ６（第１の温度設定手段〜第６の温度設定手段の一例））を備えている。以下では、暖房端末Ｈ１〜Ｈ６を区別せずに単に暖房端末Ｈと呼び、熱動弁（開閉弁の一例）Ｖ１〜Ｖ６を区別せずに単に熱動弁Ｖと呼ぶ場合がある。また、以下では、リモコンＣ１〜Ｃ６を区別せずに単にリモコンＣと呼ぶ場合がある。
【００３２】
暖房用水循環路７１は、暖房往路７２と、暖房復路８４と、調整弁９０と、熱回収路８８と、バイパス路９４と、循環流路９６と、を備えている。暖房用水循環路７１は、シスターン７０内の水を循環させるための水路である。暖房用水循環路７１内の水は、バーナ加熱装置８２、三流体熱交換器５８によって加熱される。
【００３３】
シスターン７０は、上部が開放されている容器であり、内部に熱媒である水を貯留している。シスターン７０には、循環流路９６の下流端と、暖房往路７２の上流端とが接続されている。シスターン７０内には、循環流路９６から水が流入する。シスターン７０内の水は、暖房往路７２に導入される。
【００３４】
暖房往路７２は、上流端がシスターン７０に接続され、下流端が６本に分岐している。暖房往路７２は、分岐によって、６本の熱媒供給路（第１の熱媒供給路７３１〜第６の熱媒供給路７３６）を備えている。各熱媒供給路７３１〜７３６が、各熱動弁Ｖ１〜Ｖ６を介して各暖房端末Ｈ１〜Ｈ６の往き口に接続されている。各熱媒供給路７３１〜７３６は、各暖房端末Ｈ１〜Ｈ６に熱媒を供給する。
【００３５】
暖房往路７２には、循環ポンプ７４が介装されている。循環ポンプ７４は、暖房往路７２内の水を下流側に送り出すポンプである。動作中の暖房端末Ｈの数に応じて、暖房用水循環路７１内を循環する水の流量が変化する。即ち、循環ポンプ７４の単位時間当たりの回転数が一定であっても、動作中の暖房端末Ｈの数が増加すると、暖房往路７２の抵抗が減少して、暖房用水循環路７１内を循環する水の流量が増加する。動作中の暖房端末Ｈの数が多くなるほど、暖房用水循環路７１内を循環する水の流量が増加する。各暖房端末Ｈ１〜Ｈ６及び各熱動弁Ｖ１〜Ｖ６より上流側の暖房往路７２には、バーナ加熱装置８２が介装されている。バーナ加熱装置８２は、暖房往路７２内の水を加熱する。バーナ加熱装置８２は、ヒートポンプ５０よりも、暖房用水循環路７１内を循環する水を加熱する能力が高い。言い換えると、バーナ加熱装置８２は、ヒートポンプ５０よりも、単位時間当りの加熱量が大きい。バーナ加熱装置８２で加熱された水は、暖房端末Ｈに供給される。また、暖房往路７２のバーナ加熱装置８２の下流側には、サーミスタ７８が介装されている。サーミスタ７８は、バーナ加熱装置８２を通過した後の暖房往路７２内の水の温度を測定する。
【００３６】
各暖房端末Ｈ１〜Ｈ６は、各部屋（第１の部屋Ｒ１〜第６の部屋Ｒ６）に設置されている。各暖房端末Ｈ１〜Ｈ６は、各熱媒供給路７３１〜７３６から供給される温水の熱を放熱することによって、各部屋Ｒ１〜Ｒ６を暖房する端末である。各暖房端末Ｈ１〜Ｈ６に供給される温水の温度は同じである。
【００３７】
第１の部屋Ｒ１には、サーミスタ７９（温度センサの一例）が設置されている。サーミスタ７９は、第１の部屋Ｒ１の温度を測定する。サーミスタ７９が測定した第１の部屋Ｒ１の温度の情報は、制御装置１００に送信される。
【００３８】
また、部屋Ｒ（第１の部屋Ｒ１〜第６の部屋Ｒ６）の外には、サーミスタ９９が設置されている。サーミスタ９９は、部屋Ｒの外の外気温度を測定する。サーミスタ９９が測定した外気温度の情報は、制御装置１００に送信される。
【００３９】
各熱動弁Ｖ１〜Ｖ６は、各暖房端末Ｈ１〜Ｈ６に対応する各熱媒供給路７３１〜７３６に設けられている。暖房端末Ｈ１〜Ｈ６、熱動弁Ｖ１〜Ｖ６及び熱媒供給路７３１〜７３６は、いずれも、互いに並列に配置されている。各熱動弁Ｖ１〜Ｖ６は、各熱媒供給路７３１〜７３６を開閉する。各熱動弁Ｖ１〜Ｖ６は、対応する暖房端末Ｈ１〜Ｈ６に熱媒が供給される開状態と、対応する暖房端末Ｈ１〜Ｈ６に熱媒が供給されない閉状態とを切り替える。例えば、第１の熱動弁Ｖ１が開状態の間、第１の暖房端末Ｈ１には、暖房往路７２の第１の熱媒供給路７３１から温水が供給される。一方、第１の熱動弁Ｖ１が閉状態の間、第１の暖房端末Ｈ１には、暖房往路７２の第１の熱媒供給路７３１から温水が供給されない。
【００４０】
各熱動弁Ｖ１〜Ｖ６は、所定の単位時間内において開状態になるべき期間（以下では「開時間」と呼ぶ場合がある）と、閉状態になるべき期間（以下では「閉時間」と呼ぶ場合がある）と、を示す情報を含むデューティ制御信号によって開閉する。デューティ制御信号は、制御装置１００から各熱動弁Ｖ１〜Ｖ６に送信される。所定の単位時間内において各熱動弁Ｖ１〜Ｖ６の開時間が長いほど、各暖房端末Ｈ１〜Ｈ６の負荷が高くなり、各部屋Ｒ１〜Ｒ６の温度が高くなる。一方、所定の単位時間内において各熱動弁Ｖ１〜Ｖ６の開時間が短いほど、各暖房端末Ｈ１〜Ｈ６の負荷が低くなり、各部屋Ｒ１〜Ｒ６の温度が低くなる。
【００４１】
また、全ての熱動弁Ｖ１〜Ｖ６が閉状態の間は、暖房用水循環路７１内の水は循環しない。暖房往路７２から供給される水は、暖房端末Ｈにおいて暖房に利用されると、熱を奪われ、比較的低温の水となる。暖房に利用された後の比較的低温の水は、暖房復路８４に導入される。
【００４２】
暖房復路８４は、上流端が６本に分岐して各暖房端末Ｈ１〜Ｈ６の戻り口に接続され、下流端がバイパス路９４の上流端及び熱回収路８８の上流端に接続されている。暖房復路８４には、サーミスタ８６が介装されている。サーミスタ８６は、暖房復路８４内の水の温度（即ち、三流体熱交換器５８に送り込まれる水の温度）を測定する。
【００４３】
熱回収路８８は、上流端がバイパス路９４の上流端及び暖房復路８４の下流端に接続され、下流端がバイパス路９４の下流端及び循環流路９６の上流端に接続されている。熱回収路８８は、三流体熱交換器５８を通過している。そのため、ヒートポンプ５０を動作させると、熱回収路８８内の水が三流体熱交換器５８で加熱される。熱回収路８８の三流体熱交換器５８の下流側には、サーミスタ９２が介装されている。サーミスタ９２は、三流体熱交換器５８を通過した後の熱回収路８８内の水の温度を測定する。
【００４４】
バイパス路９４は、上流端が暖房復路８４の下流端及び熱回収路８８の上流端に接続され、下流端が熱回収路８８の下流端及び循環流路９６の上流端に接続されている。即ち、バイパス路９４は、三流体熱交換器５８の上流側と下流側とをバイパスする。
【００４５】
調整弁９０は、暖房復路８４の下流端と、熱回収路８８の上流端と、バイパス路９４の上流端との接続部分に取り付けられている。調整弁９０は、その開度を変化させることによって、熱回収路８８を通過する水の流量（三流体熱交換器５８を通過する水の流量）と、バイパス路９４を通過する水の流量との割合を変化させることができる。本実施例の調整弁９０には、例えば三方弁が用いられる。調整弁９０は、動作する暖房端末Ｈの数に応じて開度を変化させることができる。本実施例では、調整弁９０は、動作する暖房端末Ｈの数が多くなる程、バイパス路９４を通過する水の流量の割合が高くなるように、開度を変化させる。
【００４６】
循環流路９６は、上流端が熱回収路８８の下流端及びバイパス路９４の下流端に接続され、下流端がシスターン７０に接続されている。循環流路９６には、サーミスタ９８が介装されている。サーミスタ９８は、循環流路９６内の水の温度を測定する。
【００４７】
各リモコンＣ１〜Ｃ６は、各暖房端末Ｈ１〜Ｈ６に対応している。各リモコンＣ１〜Ｃ６は、各暖房端末Ｈ１〜Ｈ６によって各部屋Ｒ１〜Ｒ６を暖房するときの各暖房設定温度を設定可能である。リモコンＣでは、複数の暖房設定レベルと、それらに対応する複数の暖房設定温度が予め決められている。利用者は、各リモコンＣ１〜Ｃ６において、予め決められている複数の暖房設定温度の中から、各部屋Ｒ１〜Ｒ６を暖房するときの各暖房設定温度を選択することによって温度設定することができる。例えば、図２に示すように、第１のリモコンＣ１では、９段階の第１の暖房設定レベル１〜９と、それらに対応する９段階の第１の暖房設定温度２０℃〜２８℃以上が予め決められている。また、図３に示すように、第２のリモコンＣ２でも同様に、９段階の第２の暖房設定レベル１〜９と、それらに対応する９段階の第２の暖房設定温度２０℃〜２８℃以上が予め決められている。また、第３のリモコンＣ３〜第６のリモコンＣ６についても同様である（図示省略）。
【００４８】
第１のリモコンＣ１では、利用者が、第１の暖房端末Ｈ１によって第１の部屋Ｒ１を暖房するときの第１の暖房設定温度を設定することができる。利用者は、第１のリモコンＣ１において、予め決められている複数の第１の暖房設定温度２０℃〜２８℃以上の中から、希望の第１の暖房設定温度を選択することによって温度設定することができる。
【００４９】
また、第２のリモコンＣ２では、利用者が、第２の暖房端末Ｈ２によって第２の部屋Ｒ２を暖房するときの第２の暖房設定温度を設定することができる。利用者は、第２のリモコンＣ２において、予め決められている複数の第２の暖房設定温度２０℃〜２８℃以上の中から、希望の第２の暖房設定温度を選択することによって温度設定することができる。また、第３のリモコンＣ３〜第６のリモコンＣ６でも同様に、第３の暖房設定温度〜第６の暖房設定温度を設定することができる。なお、利用者は、暖房設定温度に対応する暖房設定レベルを選択して温度設定してもよい。
【００５０】
制御装置１００は、給湯系統１０４、ヒートポンプ系統１０６、及び、暖房系統１０８と電気的に接続されており、各構成要素の動作を制御する。また、制御装置１００は、ＨＥＭＳ（Home Energy Management System）コントローラ３００と電気的に接続されており、ＨＥＭＳコントローラ３００との間で各種の情報を送受信する。
【００５１】
また、制御装置１００は、記憶装置２００を備えている。記憶装置２００は、６個の対応表Ｔ１〜Ｔ６（第１の対応情報〜第６の対応情報の一例）を記憶している。以下では、対応表Ｔ１〜Ｔ６を区別せずに単に対応表Ｔと呼ぶ場合がある。各対応表Ｔ１〜Ｔ６では、各暖房端末Ｈ１〜Ｈ６によって各部屋Ｒ１〜Ｒ６を暖房するときの各暖房設定温度と、各熱動弁Ｖ１〜Ｖ６の単位時間あたりの開時間との対応が示されている。各対応表Ｔ１〜Ｔ６では、予め決められている複数の暖房設定温度と、熱動弁Ｖの単位時間あたりの複数の開時間との対応が示されている。各対応表Ｔ１〜Ｔ６において予め決められている複数の暖房設定温度は、上述した各リモコンＣ１〜Ｃ６において予め決められている複数の暖房設定温度に対応している。例えば、図４に示すように、第１の対応表Ｔ１では、第１の暖房端末Ｈ１によって第１の部屋Ｒ１を暖房するときの第１の暖房設定温度と、第１の熱動弁Ｖ１の単位時間あたりの第１の開時間との対応が示されている。第１の対応表Ｔ１では、予め決められている９段階の第１の暖房設定温度２０℃〜２８℃以上と、第１の熱動弁Ｖ１の単位時間（２０分）あたりの９段階の第１の開時間９分〜１６分、２０分との対応が示されている。制御装置１００は、記憶装置２００が記憶している第１の対応表Ｔ１に基づいて、予め決められている複数の第１の暖房設定温度のそれぞれに対応する第１の熱動弁Ｖ１の単位時間あたりの第１の開時間を特定することができる。第１の対応表Ｔ１において予め決められている９段階の第１の暖房設定温度は、上述した第１のリモコンＣ１において予め決められている９段階の第１の暖房設定温度に対応している。
【００５２】
また、図５に示すように、第２の対応表Ｔ２では、第２の暖房端末Ｈ２によって第２の部屋Ｒ２を暖房するときの第２の暖房設定温度と、第２の熱動弁Ｖ２の単位時間あたりの第２の開時間との対応が示されている。第２の対応表Ｔ２では、予め決められている９段階の第２の暖房設定温度２０℃〜２８℃以上と、第２の熱動弁Ｖ２の単位時間（２０分）あたりの９段階の第２の開時間１０分〜１７分、２０分との対応が示されている。第２の対応表Ｔ２において予め決められている９段階の第２の暖房設定温度は、上述した第２のリモコンＣ２において予め決められている９段階の第２の暖房設定温度に対応している。
【００５３】
また、第３の対応表Ｔ３〜第６の対応表Ｔ６（図示省略）についても同様に、第３〜第６の暖房端末Ｈ３〜Ｈ６に関する第３〜第６の暖房設定温度と、第３〜第６の熱動弁Ｖ３〜Ｖ６に関する第３〜第６の開時間との対応が示されている。なお、初期の第１の対応表Ｔ１〜第６の対応表Ｔ６を設定する方法については後述する。
【００５４】
（給湯暖房システムの動作）
次いで、本実施例の給湯暖房システム２の動作について説明する。給湯暖房システム２は、蓄熱運転、給湯運転、暖房運転を実行することができる。以下、各運転について説明する。
【００５５】
（蓄熱運転）
蓄熱運転は、ヒートポンプ５０で生成した熱により、タンク１０内の水を加熱する運転である。制御装置１００によって蓄熱運転の実行が指示されると、ヒートポンプ５０が動作を開始するとともに、循環ポンプ２２が回転する。
【００５６】
ヒートポンプ５０が動作することにより、三流体熱交換器５８を通過する冷媒循環路５２内に高温高圧の気相状態の冷媒が送り込まれる。また、循環ポンプ２２が回転すると、タンク水循環路２０内をタンク１０内の水が循環する。即ち、タンク１０の下部に存在する水がタンク水循環路２０内に導入され、導入された水が三流体熱交換器５８を通過する際に、冷媒循環路５２内の冷媒の熱によって加熱され、加熱された水がタンク１０の上部に戻される。これにより、タンク１０に高温の水が貯められる。タンク１０の上部には、高温の水の層が形成され、下部には、低温の水の層が形成される。
【００５７】
（給湯運転）
給湯運転は、タンク１０内の水を給湯栓３８に供給する運転である。給湯運転は、上記の蓄熱運転中にも実行することができる。給湯栓３８が開かれると、制御装置１００は、混合弁３６ａを開く。すると、水道水供給源３２からの水圧によって、水道水導入路２４（第１導入路２４ａ）からタンク１０の下部に水道水が流入する。同時に、タンク１０上部の温水が、供給路３６を介して給湯栓３８に供給される。
【００５８】
制御装置１００は、タンク１０から供給路３６に供給される水の温度（即ち、サーミスタ１２の検出温度）が、給湯設定温度より高い場合には、混合弁３６ａを調整して、第２導入路２４ｂから供給路３６に水道水を導入する。従って、タンク１０から供給された水と第２導入路２４ｂから供給された水道水とが、供給路３６内で混合される。制御装置１００は、給湯栓３８に供給される水の温度が、給湯設定温度と一致するように、混合弁３６ａの開度比率を調整する。一方、制御装置１００は、タンク１０から供給路３６に供給される水の温度が、給湯設定温度より低い場合には、バーナ加熱装置８１を動作させる。従って、供給路３６を通過する水がバーナ加熱装置８１によって加熱される。加熱された水は、バイパス制御弁３６ｃで開度調整されたバイパス路３６ｂからの水と混合されて、給湯栓３８に供給される。制御装置１００は、給湯栓３８に供給される水の温度が、給湯設定温度と一致するように、バーナ加熱装置８１の出力を制御する。
【００５９】
（暖房運転）
（第１の実施例）
暖房運転は、暖房端末Ｈを動作させて部屋Ｒを暖房する運転である。第１の実施例では、第１の暖房端末Ｈ１によって第１の部屋Ｒ１を暖房する運転について説明する。制御装置１００は、暖房運転を開始する前に、まず初期の第１の対応表Ｔ１を設定する。初期の第１の対応表Ｔ１を設定する方法について以下に説明する。図６に示すように、Ｓ１１では、制御装置１００が外気温度を測定する。より詳細には、部屋Ｒの外に設置されているサーミスタ９９が測定した部屋Ｒの外の外気温度の情報が制御装置１００に送信され、その情報を制御装置１００が受信する。本実施例では、サーミスタ９９が測定した外気温度が１５℃であるとする。
【００６０】
続くＳ１２では、制御装置１００が、Ｓ１１で測定した外気温度に基づいて、初期の第１の対応表Ｔ１を設定する。初期の第１の対応表Ｔ１は、図７に示すグラフに基づいて設定される。図７のグラフにおける横軸は、初期の第１の対応表Ｔ１を設定するときの外気温度（℃）である。図７のグラフにおける縦軸は、予め決められている複数の第１の暖房設定温度のうち最も低い第１の暖房設定温度（２０℃（すなわち、第１の暖房設定レベル１））に対応する第１の熱動弁Ｖ１の単位時間（２０分）あたりの第１の開時間（分）である。制御装置１００は、図７に示すグラフに基づいて外気温度に対応する第１の熱動弁Ｖ１の単位時間あたりの第１の開時間を特定する。本実施例では、サーミスタ９９が測定した外気温度が１５℃である。したがって、その外気温度に対応する第１の熱動弁Ｖ１の単位時間（２０分）あたりの第１の開時間は９分である。制御装置１００は、図４に示すように、初期の第１の対応表Ｔ１において、最も低い第１の暖房設定温度２０℃に対応する第１の熱動弁Ｖ１の単位時間２０分あたりの第１の開時間を９分に設定する。
【００６１】
また、制御装置１００は、設定した第１の開時間９分を基準にして、予め決められている複数の第１の暖房設定温度のそれぞれに対応する第１の熱動弁Ｖ１の単位時間あたりの第１の開時間を設定する。制御装置１００は、単位時間２０分の範囲内において、第１の開時間が段階的に長くなるように第１の開時間を設定する。例えば、第１の暖房設定温度が１℃高くなると、第１の開時間が１分長くなるように、複数の第１の開時間を設定する。第１の暖房設定温度２０℃、２１℃、２２℃、・・・・、２７℃に対応して、第１の熱動弁Ｖ１の第１の開時間９分、１０分、１１分、・・・・、１６分を設定する。第１の暖房設定温度２８℃以上については、第１の熱動弁Ｖ１の第１の開時間２０分を設定する。このように、９段階の第１の暖房設定温度２０℃〜２８℃以上に対応して、９段階の第１の熱動弁Ｖ１の第１の開時間９分〜１６分、２０分を設定する。制御装置１００は、初期の第１の対応表Ｔ１を設定すると暖房運転開始前の処理を終了する。
【００６２】
制御装置１００は、初期の第１の対応表Ｔ１を設定した後に暖房運転を開始する。暖房運転では、制御装置１００が、所定の回転数で循環ポンプ７４を動作させる。また、制御装置１００が、第１の熱動弁Ｖ１の開閉動作を制御する。これにより、シスターン７０内の水が、シスターン７０から、暖房往路７２、第１の熱媒供給路７３１、第１の熱動弁Ｖ１、第１の暖房端末Ｈ１、暖房復路８４、熱回収路８８、及び、循環流路９６をこの順で流れる。また、調整弁９０の開度によっては、熱回収路８８を流れる水の一部が、バイパス路９４を通過して、循環流路９６に導入される。
【００６３】
利用者が第１のリモコンＣ１から第１の暖房端末Ｈ１の動作指示を入力すると暖房運転が開始される。また、利用者は、第１の暖房端末Ｈ１によって第１の部屋Ｒ１を暖房するときの第１の暖房設定温度を第１のリモコンＣ１から入力する。利用者は、第１のリモコンＣ１において予め決められている複数の第１の暖房設定温度の中から希望の第１の暖房設定温度を選択する。図２に示す実施例では、利用者は、第１のリモコンＣ１において予め決められている２０℃〜２８℃以上の９段階の第１の暖房設定温度の中から希望の第１の暖房設定温度を選択することができる。選択された第１の暖房設定温度の情報が第１のリモコンＣ１から制御装置１００に送信される。
【００６４】
暖房運転の開始が指示されると、図８に示すように、Ｓ２１では、制御装置１００が、利用者によって第１のリモコンＣ１で設定された第１の暖房設定温度で第１の暖房端末Ｈ１を運転する。より詳細には、第１のリモコンＣ１で第１の暖房設定温度が設定されると、制御装置１００が、図４に示す第１の対応表Ｔ１に基づいて、設定された第１の暖房設定温度に対応する第１の熱動弁Ｖ１の単位時間あたりの第１の開時間を特定する。制御装置１００は初期（修正前）の第１の対応表Ｔ１に基づいて第１の開時間を特定する。例えば、利用者が第１のリモコンＣ１で第１の暖房設定温度を２０℃に設定したとする。そうすると、制御装置１００が、初期（修正前）の第１の対応表Ｔ１に基づいて、第１の暖房設定温度２０℃に対応する第１の熱動弁Ｖ１の単位時間２０分あたりの第１の開時間９分を特定する。
【００６５】
制御装置１００は、第１の熱動弁Ｖ１の単位時間２０分あたりの初期（修正前）の第１の開時間９分を特定すると、それに基づいて、単位時間２０分あたりの第１の開時間９分（第１の閉時間１１分）を特定するデューティ制御信号を第１の熱動弁Ｖ１に送信する。第１の熱動弁Ｖ１がこのデューティ制御信号を受信する。第１の熱動弁Ｖ１は、受信したデューティ制御信号に基づいて、単位時間２０分あたりに第１の開時間９分（第１の閉時間１１分）で開閉動作する。このようにして、制御装置１００は、単位時間２０分あたりに第１の開時間９分で第１の熱動弁Ｖ１が開状態になるように（第１の閉時間１１分で第１の熱動弁Ｖ１が閉状態になるように）、第１の熱動弁Ｖ１の動作を制御する。
【００６６】
第１の熱動弁Ｖ１が開閉動作すると、第１の熱動弁Ｖ１が設けられている第１の熱媒供給路７３１が開閉する。第１の熱媒供給路７３１は、単位時間２０分あたりに第１の開時間９分（第１の閉時間１１分）で開閉する。そうすると、単位時間２０分あたり第１の開時間９分（第１の閉時間１１分）に対応する流量の温水が第１の熱媒供給路７３１を流れる。その結果、その流量の温水が第１の熱媒供給路７３１を介して第１の暖房端末Ｈ１に供給される。第１の暖房端末Ｈ１は、その流量の温水（単位時間２０分あたり第１の開時間９分（第１の閉時間１１分）に対応する流量の温水）の熱によって第１の部屋Ｒ１を暖房する。これによって、第１の部屋Ｒ１が暖房され、第１の部屋Ｒ１の温度が、利用者が第１のリモコンＣ１で設定した第１の暖房設定温度２０℃になる。
【００６７】
利用者が第１の暖房設定温度を変更したい場合は、第１のリモコンＣ１で第１の暖房設定温度を新たに設定する。第１のリモコンＣ１で新たな第１の暖房設定温度が設定されると、制御装置１００が、図４に示す第１の対応表Ｔ１に基づいて、新たに設定された第１の暖房設定温度に対応する第１の熱動弁Ｖ１の単位時間あたりの第１の開時間を特定する。制御装置１００は、新たに特定した単位時間あたりの第１の開時間に基づいて第１の熱動弁Ｖ１の動作を制御する。その結果、第１の部屋Ｒ１の温度が、利用者が第１のリモコンＣ１で新たに設定した第１の暖房設定温度になる。
【００６８】
第１の暖房端末Ｈ１によって第１の部屋Ｒ１が暖房されたとき、本来であれば、第１の部屋Ｒ１の温度が第１のリモコンＣ１で設定された第１の暖房設定温度になるはずである。例えば、上述したように、利用者が第１のリモコンＣ１で第１の暖房設定温度を２０℃に設定したとする。そうすると、制御装置１００が、第１の暖房設定温度２０℃に対応する第１の熱動弁Ｖ１の単位時間２０分あたりの第１の開時間９分（第１の閉時間１１分）で開閉動作する。これによって、本来ならば、第１の部屋Ｒ１の温度が第１の暖房設定温度２０℃になるはずである。しかしながら、第１の部屋Ｒ１の断熱性能が悪いことによって、本来ならば第１の部屋Ｒ１の温度が第１の暖房設定温度２０℃になるはずにもかかわらず、第１の部屋Ｒ１の温度が第１の暖房設定温度２０℃まで上昇しないことがある。例えば、第１の部屋Ｒ１の温度が第１の暖房設定温度２０℃より低い１８℃までしか上昇しないことがある。すなわち、第１の部屋Ｒ１の断熱性能が悪いことによって、利用者が第１のリモコンＣ１で設定した希望の第１の暖房設定温度２０℃まで第１の部屋Ｒ１を暖房することができないことがある。そこで、制御装置１００は以下の処理を実行する。
【００６９】
図８に示すように、Ｓ２２では、制御装置１００が、暖房運転を開始してから所定の時間が経過したか否かを判断する。すなわち、制御装置１００が、第１の部屋Ｒ１が暖房されてから所定の時間が経過したか否かを判断する。所定の時間は特に限定されるものではない。例えば、利用者が第１のリモコンＣ１で第１の暖房設定温度を設定してから２０分間、あるいは、第１の熱動弁Ｖ１が開状態になってから２０分間が経過したか否かによって所定の時間が経過したか否かを判断することができる。Ｓ２２で所定の時間が経過している場合は、制御装置１００がＹｅｓと判断してＳ２３に進む。一方、Ｓ２２で所定の時間が経過していない場合は、制御装置１００がＮｏと判断して待機する。
【００７０】
続くＳ２３では、制御装置１００が第１の部屋Ｒ１の温度を測定する。より詳細には、第１の部屋Ｒ１に設置されているサーミスタ７９が測定した第１の部屋Ｒ１の温度の情報が制御装置１００に送信され、その情報を制御装置１００が受信する。
【００７１】
続くＳ２４では、制御装置１００が、サーミスタ７９で測定された第１の部屋Ｒ１の温度と第１のリモコンＣ１で設定された第１の暖房設定温度とを比較する。第１の部屋Ｒ１の温度が第１の暖房設定温度より低い場合は、制御装置１００がＳ２４でＹｅｓと判断してＳ２５に進む。上述したように、第１の部屋Ｒ１の断熱性能が悪いことによって、第１の部屋Ｒ１の温度が第１のリモコンＣ１で設定された第１の暖房設定温度より低くなることがある。この場合は、制御装置１００がＳ２４でＹｅｓと判断する。一方、第１の部屋Ｒ１の温度が第１の暖房設定温度より低くない場合（第１の部屋Ｒ１の温度が第１の暖房設定温度以上の場合）は、制御装置１００がＳ２４でＮｏと判断して処理を終了する。
【００７２】
続くＳ２５では、制御装置１００が、図４に示す第１の対応表Ｔ１を修正する。より詳細には、制御装置１００が、第１の対応表Ｔ１において、第１の暖房設定温度に対応する第１の熱動弁Ｖ１の単位時間あたりの第１の開時間を長くする修正を行う。制御装置１００は、予め決められている複数の第１の暖房設定温度のそれぞれに対応する第１の熱動弁Ｖ１の単位時間あたりの第１の開時間を長くする。図４に示す実施例では、制御装置１００が、第１の熱動弁Ｖ１の単位時間２０分あたりの第１の開時間を２分長くする。修正後の第１の開時間は、初期（修正前）の第１の開時間より２分長い。制御装置１００は、第１の暖房設定温度２０℃〜２７℃に対応する第１の開時間９分〜１６分を、１１分〜１８分に修正する。なお、第１の暖房設定温度２８℃に対応する第１の開時間２０分については修正しない。
【００７３】
図８に示すように、制御装置１００は、第１の対応表Ｔ１を修正した後、続くＳ２６では、第１の対応表Ｔ１を修正してから所定の時間が経過したか否かを判断する。Ｓ２６で所定の時間が経過している場合は、制御装置１００がＹｅｓと判断してＳ２３に戻り、Ｓ２３からＳ２６の処理を繰り返す。制御装置１００は、第１の対応表Ｔ１の修正処理を繰り返す。一方、Ｓ２６で所定の時間が経過していない場合は、制御装置１００がＮｏと判断して待機する。
【００７４】
制御装置１００は、第１の対応表Ｔ１を修正した後は、修正後の第１の対応表Ｔ１に基づいて、第１の暖房設定温度に対応する第１の熱動弁Ｖ１の単位時間あたりの第１の開時間を特定する。例えば、利用者が第１のリモコンＣ１で第１の暖房設定温度を２０℃に設定したとする。そうすると、制御装置１００が、修正後の第１の対応表Ｔ１に基づいて、第１の暖房設定温度２０℃に対応する第１の熱動弁Ｖ１の単位時間２０分あたりの修正後の第１の開時間１１分を特定する（図４参照）。制御装置１００は、単位時間２０分あたりの修正後の第１の開時間１１分に基づいて第１の熱動弁Ｖ１の動作を制御する。
【００７５】
第１の暖房設定温度２０℃に対応する第１の熱動弁Ｖ１の単位時間２０分あたりの修正後の第１の開時間１１分は、修正前の第１の開時間９分より長い。そのため、修正後に第１の暖房端末Ｈ１に供給される温水の流量が、修正前に第１の暖房端末Ｈ１に供給される温水の流量より多くなる。その結果、第１の対応表Ｔ１の修正後には第１の暖房端末Ｈ１での放熱量が修正前より高くなり、第１の部屋Ｒ１の温度が修正前より高くなり易くなる。第１の対応表Ｔ１の修正前では、第１の部屋Ｒ１の断熱性能が悪い場合に、第１の部屋Ｒ１の温度が第１のリモコンＣ１で設定された第１の暖房設定温度まで上昇しないことがあった。しかしながら、第１の対応表Ｔ１の修正後では、第１の熱動弁Ｖ１の単位時間あたりの第１の開時間が長くなることによって、第１の部屋Ｒ１の温度が第１のリモコンＣ１で設定された第１の暖房設定温度まで上昇することが可能になる。例えば、上述したように、利用者が第１のリモコンＣ１で第１の暖房設定温度を２０℃に設定した場合に、第１の対応表Ｔ１の修正前では第１の部屋Ｒ１の温度が第１の暖房設定温度２０℃より低い１８℃までしか上昇しないことがある。しかしながら、第１の対応表Ｔ１の修正後では、第１の熱動弁Ｖ１の単位時間あたりの第１の開時間が長くなることによって、第１の部屋Ｒ１の温度が第１の暖房設定温度２０℃まで上昇することが可能になる。
【００７６】
以上、給湯暖房システム２の構成と動作について説明した。上記の通り、第１の実施例の給湯暖房システム２は、熱媒としての水を加熱するヒートポンプ５０と、温水の熱によって第１の部屋Ｒ１を暖房する第１の暖房端末Ｈ１とを備えている。また、給湯暖房システム２は、ヒートポンプ５０によって加熱された水を第１の暖房端末Ｈ１に供給する第１の熱媒供給路７３１と、第１の熱媒供給路７３１を開閉する第１の熱動弁Ｖ１とを備えている。また、給湯暖房システム２は、第１の暖房端末Ｈ１によって暖房された第１の部屋Ｒ１の温度を測定するサーミスタ７９を備えている。更に、給湯暖房システム２は、予め決められている複数の第１の暖房設定温度の中から第１の暖房端末Ｈ１によって第１の部屋Ｒ１を暖房するときの第１の暖房設定温度を設定可能な第１のリモコンＣ１と、記憶装置２００と、制御装置１００を備えている。記憶装置２００は、予め決められている複数の第１の暖房設定温度のそれぞれに対応する第１の熱動弁Ｖ１の単位時間あたりの第１の開時間を特定する第１の対応表Ｔ１を記憶している。制御装置１００は、第１のリモコンＣ１で第１の暖房設定温度が設定されると、記憶装置２００が記憶している第１の対応表Ｔ１に基づいて、設定された第１の暖房設定温度に対応する第１の熱動弁Ｖ１の単位時間あたりの第１の開時間を特定する。例えば、図４に示す第１の対応表Ｔ１に基づいて、第１の暖房設定温度２０℃に対応する第１の開時間９分を特定する。また、制御装置１００は、特定した単位時間あたりの第１の開時間で第１の熱動弁Ｖ１が開状態になるように第１の熱動弁Ｖ１の動作を制御する。制御装置１００は、第１の部屋Ｒ１が暖房されてから所定の時間が経過したときに、サーミスタ７９で測定された第１の部屋Ｒ１の温度と、第１のリモコンＣ１で設定された第１の暖房設定温度とを比較する。制御装置１００は、サーミスタ７９で測定された第１の部屋Ｒ１の温度が第１のリモコンＣ１で設定された第１の暖房設定温度より低い場合は、第１の対応表Ｔ１において予め決められている複数の第１の暖房設定温度のそれぞれに対応する第１の熱動弁Ｖ１の単位時間あたりの第１の開時間を長くする修正を行う。例えば、図４に示すように、第１の暖房設定温度２０℃、２１℃、・・・に対応する第１の開時間９分、１０分、・・・を、１１分、１２分、・・・・に修正する。
【００７７】
上記の構成では、第１のリモコンＣ１で予め決められている複数の第１の暖房設定温度の中から利用者が希望する第１の暖房設定温度を設定することができる。例えば、図２に示すように、第１のリモコンＣ１で２０℃〜２８℃以上の９段階の第１の暖房設定温度が予め決められているとする。この場合、利用者は、２０℃〜２８℃以上の９段階の第１の暖房設定温度の中から希望する第１の暖房設定温度を設定することができる。すなわち、利用者は、９段階の第１の暖房設定温度を利用することができる。利用者が第１のリモコンＣ１で第１の暖房設定温度（例えば２０℃）を設定すると、第１の暖房端末Ｈ１がその第１の暖房設定温度（例えば２０℃）で第１の部屋Ｒ１を暖房する。
【００７８】
第１の暖房端末Ｈ１によって第１の部屋Ｒ１が暖房されると、本来であれば、第１の部屋Ｒ１の温度が、利用者が第１のリモコンＣ１で設定した第１の暖房設定温度（例えば２０℃）まで上昇するはずである。しかしながら、上述したように、第１の部屋Ｒ１の断熱性能が悪いことによって、第１の部屋Ｒ１の温度が第１の暖房設定温度（例えば２０℃）まで上昇せず、それより低い温度（例えば１８℃）までしか上昇しないことがある。
【００７９】
このような場合、従来の技術では、利用者がより高い第１の暖房設定温度を新たに設定していた。例えば、利用者が最初に設定した第１の暖房設定温度（例えば２０℃）より高い第１の暖房設定温度（例えば２２℃）を新たに設定していた。すなわち、利用者は、第１の部屋Ｒ１の温度を２０℃にするために、第１の暖房設定温度を２２℃に設定していた。その結果、利用者が第１の部屋Ｒ１の温度を２０℃以上にしたい場合には、第１のリモコンＣ１で２２℃以上の第１の暖房設定温度を設定しなければならず、２０℃と２１℃の第１の暖房設定温度を実質的に利用することができなくなっていた。そのため、本来であれば第１の部屋Ｒ１の温度を２０℃以上するために第１のリモコンＣ１で２０℃〜２８℃以上の９段階の第１の暖房設定温度を利用できるはずであるが、２０℃と２１℃を除く２２℃〜２８℃以上の７段階の第１の暖房設定温度しか実質的に利用することができなくなっていた。
【００８０】
しかしながら、本明細書に開示する技術では、このような場合には、制御装置１００が、第１の対応表Ｔ１において予め決められている複数の第１の暖房設定温度のそれぞれに対応する第１の熱動弁Ｖ１の単位時間あたりの第１の開時間を長くする修正を行う。このような構成によれば、修正によって第１の熱動弁Ｖ１の単位時間あたりの第１の開時間が長くなるので、修正後に第１の暖房端末Ｈ１に供給される温水の流量が、修正前に第１の暖房端末Ｈ１に供給される温水の流量より多くなる。その結果、第１の対応表Ｔ１の修正後には第１の暖房端末Ｈ１の負荷が修正前より高くなり、第１の部屋Ｒ１の温度が修正前より高くなり易くなる。そのため、上述した例では、利用者が最初に設定した第１の暖房設定温度（例えば２０℃）より高い第１の暖房設定温度（例えば２２℃）を新たに設定しなくても、第１の部屋Ｒ１の温度が、最初に設定した第１の暖房設定温度（例えば２０℃）まで上昇する。これによって、利用者が第１の部屋Ｒ１の温度を２０℃以上にしたい場合に、第１のリモコンＣ１で２０℃〜２８℃以上の９段階の第１の暖房設定温度を利用することができる。したがって、第１のリモコンＣ１で予め決められている複数の第１の暖房設定温度を十分に利用することができる。
【００８１】
また、上記の給湯暖房システム２では、制御装置１００が、所定の時間間隔で、サーミスタ７９で測定された第１の部屋Ｒ１の温度と第１のリモコンＣ１で設定された第１の暖房設定温度を比較している。このような構成によれば、所定の時間間隔で第１の対応表Ｔ１を修正するか否かを判断することができる。
【００８２】
また、上記の給湯暖房システム２では、制御装置１００が、外気温度に基づいて、第１の対応表Ｔ１における初期（修正前）の第１の熱動弁Ｖ１の単位時間あたりの第１の開時間を設定している。このような構成によれば、外気温度に応じて初期（修正前）の第１の開時間を設定することができる。例えば、外気温度が低い場合は、それに応じて初期（修正前）の第１の開時間を長く設定することができる。この場合は、第１の暖房端末Ｈ１に供給される温水の流量を多くすることができる。一方、外気温度が高い場合は、それに応じて初期（修正前）の第１の開時間を短く設定することができる。この場合は、第１の暖房端末Ｈ１に供給される温水の流量を少なくすることができる。
【００８３】
以上、一実施例について説明したが、具体的な態様は上記実施例に限定されるものではない。以下の説明において上述の説明における構成と同様の構成については同一の符号を付して説明を省略する。
【００８４】
（第２の実施例）
第２の実施例では、第１の暖房端末Ｈ１によって第１の部屋Ｒ１を暖房するとともに、第２の暖房端末Ｈ２によって第２の部屋Ｒ２を暖房する。第２の実施例では、図９に示すように、制御装置１００が、Ｓ１２で初期の第１の対応表Ｔ１を設定した後、続くＳ１３では、初期の第２の対応表Ｔ２を設定する。初期の第２の対応表Ｔ２は、上述した初期の第１の対応表Ｔ１と同様の方法で設定される。初期の第２の対応表Ｔ２は、図１０に示すグラフに基づいて設定される。図１０のグラフにおける横軸は、初期の第２の対応表Ｔ２を設定するときの外気温度（℃）である。図１０のグラフにおける縦軸は、予め決められている複数の第２の暖房設定温度のうち最も低い第２の暖房設定温度（２０℃（すなわち、第２の暖房設定レベル１））に対応する第２の熱動弁Ｖ２の単位時間（２０分）あたりの第２の開時間（分）である。制御装置１００は、図１０に示すグラフに基づいて外気温度に対応する第２の熱動弁Ｖ２の単位時間あたりの第２の開時間を特定する。本実施例では、サーミスタ９９が測定した外気温度が１５℃である。したがって、その外気温度に対応する第２の熱動弁Ｖ２の単位時間（２０分）あたりの第２の開時間は１０分である。制御装置１００は、図５に示すように、初期の第２の対応表Ｔ２において、最も低い第２の暖房設定温度２０℃に対応する第２の熱動弁Ｖ２の単位時間２０分あたりの第２の開時間を１０分に設定する。
【００８５】
また、制御装置１００は、設定した第２の開時間１０分を基準にして、予め決められている複数の第２の暖房設定温度のそれぞれに対応する第２の熱動弁Ｖ２の単位時間あたりの第２の開時間を設定する。制御装置１００は、単位時間２０分の範囲内において、第２の開時間が段階的に長くなるように第２の開時間を設定する。例えば、第２の暖房設定温度が１℃高くなると、第２の開時間が１分長くなるように、複数の第２の開時間を設定する。第２の暖房設定温度２０℃、２１℃、２２℃、・・・・、２７℃に対応して、第２の熱動弁Ｖ２の第２の開時間１０分、１１分、１２分、・・・・、１７分を設定する。第２の暖房設定温度２８℃以上については、第２の熱動弁Ｖ２の第２の開時間２０分を設定する。９段階の第２の暖房設定温度２０℃〜２８℃以上に対応して、９段階の第２の熱動弁Ｖ２の第２の開時間１０分〜１７分、２０分を設定する。制御装置１００は、初期の第２の対応表Ｔ２を設定すると暖房運転開始前の処理を終了する。
【００８６】
また、第２の実施例では、図１１に示すように、制御装置１００が、Ｓ２１で第１の暖房端末Ｈ１による暖房運転を開始した後、続くＳ３１では、第２の暖房端末Ｈ２による暖房運転を開始する。利用者が第２のリモコンＣ２から第２の暖房端末Ｈ２の動作指示を入力すると暖房運転が開始される。また、利用者は、第２の暖房端末Ｈ２によって第２の部屋Ｒ２を暖房するときの第２の暖房設定温度を第２のリモコンＣ２から入力する。利用者は、第２のリモコンＣ２において予め決められている複数の第２の暖房設定温度の中から希望の第２の暖房設定温度を選択する。図３に示す実施例では、利用者は、第２のリモコンＣ２において予め決められている２０℃〜２８℃以上の９段階の第２の暖房設定温度の中から希望の第２の暖房設定温度を選択することができる。選択された第２の暖房設定温度の情報が第２のリモコンＣ２から制御装置１００に送信される。
【００８７】
暖房運転の開始が指示されると、制御装置１００が、利用者によって第２のリモコンＣ２で設定された第２の暖房設定温度で第２の暖房端末Ｈ２を運転する。より詳細には、第２のリモコンＣ２で第２の暖房設定温度が設定されると、制御装置１００が、図５に示す第２の対応表Ｔ２に基づいて、設定された第２の暖房設定温度に対応する第２の熱動弁Ｖ２の単位時間あたりの第２の開時間を特定する。制御装置１００は初期（修正前）の第２の対応表Ｔ２に基づいて第２の開時間を特定する。例えば、利用者が第２のリモコンＣ２で第２の暖房設定温度を２０℃に設定したとする。そうすると、制御装置１００が、初期（修正前）の第２の対応表Ｔ２に基づいて、第２の暖房設定温度２０℃に対応する第２の熱動弁Ｖ２の単位時間２０分あたりの第２の開時間１０分を特定する。
【００８８】
制御装置１００は、第２の熱動弁Ｖ２の単位時間２０分あたりの初期（修正前）の第２の開時間１０分を特定すると、それに基づいて、単位時間２０分あたりの第２の開時間１０分（第２の閉時間１０分）を特定するデューティ制御信号を第２の熱動弁Ｖ２に送信する。第２の熱動弁Ｖ２がこのデューティ制御信号を受信する。第２の熱動弁Ｖ２は、受信したデューティ制御信号に基づいて、単位時間２０分あたりに第２の開時間１０分（第２の閉時間１０分）で開閉動作する。このようにして、制御装置１００は、単位時間２０分あたりに第２の開時間１０分で第２の熱動弁Ｖ２が開状態になるように（第２の閉時間１０分で第２の熱動弁Ｖ２が閉状態になるように）、第２の熱動弁Ｖ２の動作を制御する。
【００８９】
第２の熱動弁Ｖ２が開閉動作すると、第２の熱動弁Ｖ２が設けられている第２の熱媒供給路７３２が開閉する。第２の熱媒供給路７３２は、単位時間２０分あたりに第２の開時間１０分（第２の閉時間１０分）で開閉する。そうすると、単位時間２０分あたり第２の開時間１０分（第２の閉時間１０分）に対応する流量の温水が第２の熱媒供給路７３２を流れる。その結果、その流量の温水が第２の熱媒供給路７３２を介して第２の暖房端末Ｈ２に供給される。第２の暖房端末Ｈ２は、その流量の温水（単位時間２０分あたり第２の開時間１０分（第２の閉時間１０分）に対応する流量の温水）の熱によって第２の部屋Ｒ２を暖房する。これによって、第２の部屋Ｒ２が暖房され、第２の部屋Ｒ２の温度が、利用者が第２のリモコンＣ２で設定した第２の暖房設定温度２０℃になる。
【００９０】
利用者が第２の暖房設定温度を変更したい場合は、第２のリモコンＣ２で第２の暖房設定温度を新たに設定する。第２のリモコンＣ２で新たな第２の暖房設定温度が設定されると、制御装置１００が、図５に示す第２の対応表Ｔ２に基づいて、新たに設定された第２の暖房設定温度に対応する第２の熱動弁Ｖ２の単位時間あたりの第２の開時間を特定する。制御装置１００は、新たに特定した単位時間あたりの第２の開時間に基づいて第２の熱動弁Ｖ２の動作を制御する。その結果、第２の部屋Ｒ２の温度が、利用者が第２のリモコンＣ２で新たに設定した第２の暖房設定温度になる。
【００９１】
第２の暖房端末Ｈ２によって第２の部屋Ｒ２が暖房されたとき、本来であれば、第２の部屋Ｒ２の温度が第２のリモコンＣ２で設定された第２の暖房設定温度になるはずである。例えば、上述したように、利用者が第２のリモコンＣ２で第２の暖房設定温度を２０℃に設定したとする。そうすると、制御装置１００が、第２の暖房設定温度２０℃に対応する第２の熱動弁Ｖ２の単位時間２０分あたりの第２の開時間１０分（第２の閉時間１０分）で開閉動作する。これによって、本来ならば、第２の部屋Ｒ２の温度が第２の暖房設定温度２０℃になるはずである。しかしながら、第２の部屋Ｒ２の断熱性能が悪いことによって、本来ならば第２の部屋Ｒ２の温度が第２の暖房設定温度２０℃になるはずにもかかわらず、第２の部屋Ｒ２の温度が第２の暖房設定温度２０℃まで上昇しないことがある。例えば、第２の部屋Ｒ２の温度が第２の暖房設定温度２０℃より低い１８℃までしか上昇しないことがある。すなわち、第２の部屋Ｒ２の断熱性能が悪いことによって、利用者が第２のリモコンＣ２で設定した希望の第２の暖房設定温度２０℃まで第２の部屋Ｒ２を暖房することができないことがある。上述した第１の部屋Ｒ１の断熱性能が悪い場合は、第２の部屋Ｒ２の断熱性能も同様に悪いことが考えられる。そこで、制御装置１００は、第１の部屋Ｒ１の場合と同様に以下の処理を実行する。
【００９２】
第２の実施例では、図１１に示すように、制御装置１００が、Ｓ２５で第１の対応表Ｔ１を修正した後、続くＳ３２では、第２の対応表Ｔ２を修正する。より詳細には、制御装置１００が、図５に示す第２の対応表Ｔ２において、第２の暖房設定温度に対応する第２の熱動弁Ｖ２の単位時間あたりの第２の開時間を長くする修正を行う。制御装置１００は、予め決められている複数の第２の暖房設定温度のそれぞれに対応する第２の熱動弁Ｖ２の単位時間あたりの第２の開時間を長くする。図５に示す実施例では、制御装置１００が、第２の熱動弁Ｖ２の単位時間２０分あたりの第２の開時間を２分長くする。修正後の第２の開時間は、初期（修正前）の第２の開時間より２分長い。制御装置１００は、第２の暖房設定温度２０℃〜２７℃に対応する第２の開時間１０分〜１７分を、１２分〜１９分に修正する。なお、第２の暖房設定温度２８℃に対応する第２の開時間２０分については修正しない。
【００９３】
制御装置１００は、第２の対応表Ｔ２を修正した後は、修正後の第２の対応表Ｔ２に基づいて、第２の暖房設定温度に対応する第２の熱動弁Ｖ２の単位時間あたりの第２の開時間を特定する。例えば、利用者が第２のリモコンＣ２で第２の暖房設定温度を２０℃に設定したとする。そうすると、制御装置１００が、修正後の第２の対応表Ｔ２に基づいて、第２の暖房設定温度２０℃に対応する第２の熱動弁Ｖ２の単位時間２０分あたりの修正後の第２の開時間１２分を特定する（図５参照）。制御装置１００は、単位時間２０分あたりの修正後の第２の開時間１２分に基づいて第２の熱動弁Ｖ２の動作を制御する。
【００９４】
第２の暖房設定温度２０℃に対応する第２の熱動弁Ｖ２の単位時間２０分あたりの修正後の第２の開時間１２分は、修正前の第２の開時間１０分より長い。そのため、修正後に第２の暖房端末Ｈ２に供給される温水の流量が、修正前に第２の暖房端末Ｈ２に供給される温水の流量より多くなる。その結果、第２の対応表Ｔ２の修正後には第２の暖房端末Ｈ２の負荷が修正前より高くなり、第２の部屋Ｒ２の温度が修正前より高くなり易くなる。第２の対応表Ｔ２の修正前では、第２の部屋Ｒ２の断熱性能が悪い場合に、第２の部屋Ｒ２の温度が第２のリモコンＣ２で設定された第２の暖房設定温度まで上昇しないことがあった。しかしながら、第２の対応表Ｔ２の修正後では、第２の熱動弁Ｖ２の単位時間あたりの第２の開時間が長くなることによって、第２の部屋Ｒ２の温度が第２のリモコンＣ２で設定された第２の暖房設定温度まで上昇することが可能になる。例えば、上述したように、利用者が第２のリモコンＣ２で第２の暖房設定温度を２０℃に設定した場合に、第２の対応表Ｔ２の修正前では第２の部屋Ｒ２の温度が第２の暖房設定温度２０℃より低い１８℃までしか上昇しないことがある。しかしながら、第２の対応表Ｔ２の修正後では、第２の熱動弁Ｖ２の単位時間あたりの第２の開時間が長くなることによって、第２の部屋Ｒ２の温度が第２の暖房設定温度２０℃まで上昇することが可能になる。
【００９５】
以上、第２の実施例の構成と動作について説明した。上記の通り、第２の実施例の給湯暖房システム２は、温水の熱によって第２の部屋Ｒ２を暖房する第２の暖房端末Ｈ２を備えている。また、この給湯暖房システム２は、ヒートポンプ５０によって加熱された水を第２の暖房端末Ｈ２に供給する第２の熱媒供給路７３２と、第２の熱媒供給路７３２を開閉する第２の熱動弁Ｖ２とを備えている。また、給湯暖房システム２は、予め決められている複数の第２の暖房設定温度の中から第２の暖房端末Ｈ２によって第２の部屋Ｒ２を暖房するときの第２の暖房設定温度を設定可能な第２のリモコンＣ２を備えている。記憶装置２００が、予め決められている複数の第２の暖房設定温度のそれぞれに対応する第２の熱動弁Ｖ２の単位時間あたりの第２の開時間を特定する第２の対応表Ｔ２を記憶している。制御装置１００は、第２のリモコンＣ２で第２の暖房設定温度が設定されると、記憶装置２００が記憶している第２の対応表Ｔ２に基づいて、設定された第２の暖房設定温度に対応する第２の熱動弁Ｖ２の単位時間あたりの第２の開時間を特定する。例えば、図５に示す第２の対応表Ｔ２に基づいて、第２の暖房設定温度２０℃に対応する第２の開時間１０分を特定する。また、制御装置１００は、特定した単位時間あたりの第２の開時間で第２の熱動弁Ｖ２が開状態になるように第２の熱動弁Ｖ２の動作を制御する。また、制御装置１００は、第１の対応表Ｔ１を修正した後、第２の対応表Ｔ２を修正する。すなわち、制御装置１００は、第１の熱動弁Ｖ１の単位時間あたりの第１の開時間を修正する場合は、第２の対応表Ｔ２において予め決められている複数の第２の暖房設定温度のそれぞれに対応する第２の熱動弁Ｖ２の単位時間あたりの第２の開時間を長くする修正を行う。例えば、図５に示すように、第２の暖房設定温度２０℃、２１℃、・・・に対応する第２の開時間１０分、１１分、・・・を、１２分、１３分、・・・・に修正する。
【００９６】
このような構成によれば、第１の実施例で説明した第１の暖房端末Ｈ１の場合と同様に、第２のリモコンＣ２で予め決められている複数の第２の暖房設定温度を十分に利用することができる。
【００９７】
また、上記の構成によれば、第１の熱動弁Ｖ１の単位時間あたりの第１の開時間を修正する場合は、第２の熱動弁Ｖ２の単位時間あたりの第２の開時間も修正している。第１の開時間を修正するためには、サーミスタ７９によって第１の部屋Ｒ１の温度を測定している。一方、第２の開時間を修正するために第２の部屋Ｒ２の温度を測定することはない。第２の開時間を修正するか否かは、サーミスタ７９によって測定された第１の部屋Ｒ１の温度に依存している。そのため、第２の部屋Ｒ２の温度を測定しなくても、サーミスタ７９によって第１の部屋Ｒ１の温度を測定することによって第２の開時間を修正することができる。したがって、単一のサーミスタ７９で第１の開時間と第２の開時間の両方を修正することができる。
【００９８】
上記の第２の実施例では、第２の暖房端末Ｈ２に関する構成と動作について説明したが、第３の暖房端末Ｈ３〜第６の暖房端末Ｈ６に関する構成と動作についても第２の暖房端末Ｈ２と同様である。
【００９９】
（その他の実施例）
暖房用水循環路７１によって各暖房端末Ｈ１〜Ｈ６に供給される水は、ヒートポンプ５０のみで加熱されても、ヒートポンプ５０とバーナ加熱装置８２の両方（熱源機の他の一例）で加熱されてもよい。例えば、各部屋Ｒ１〜Ｒ６の温度を比較的高くする場合は、各暖房端末Ｈ１〜Ｈ６に供給される水を、ヒートポンプ５０とバーナ加熱装置８２の両方で加熱する。一方、各部屋Ｒ１〜Ｒ６の温度を比較的低くする場合は、各暖房端末Ｈ１〜Ｈ６に供給される水を、ヒートポンプ５０のみで加熱する。また、制御装置１００が、バーナ加熱装置８２をデューティ制御によってオン／オフしてもよい。熱媒としての水を加熱する熱源機の構成は特に限定されるものではない。
【０１００】
制御装置１００は、ＨＥＭＳ３００を介して、給湯暖房システム２以外の空調機器に関する情報を送受信してもよい。制御装置１００は、ＨＥＭＳ３００から受信した情報に基づいて、給湯暖房システム２以外の空調機器（例えば、エアコン等）が動作しているか否かを判断してもよい。給湯暖房システム２以外の空調機器が動作している場合は、その空調機器の影響によって各部屋Ｒ１〜Ｒ６の温度が変動することがある。よって、制御装置１００は、給湯暖房システム２以外の空調機器が動作していると判断した場合は、各対応表Ｔ１〜Ｔ６を修正しなくてもよい。
【０１０１】
上記の第２の実施例では、第１の暖房端末Ｈ１について予め決められている複数の第１の暖房設定温度と第２の暖房端末Ｈ２について予め決められている複数の第２の暖房設定温度が同じ温度であったが、この構成に限定されるものではなく、これらの温度が互いに相違していてもよい。また、複数の第１の暖房設定温度と複数の第２に暖房設定温度の数が同じであったが、この構成に限定されるものではなく、それらの数が互いに相違していてもよい。
【０１０２】
制御装置１００は、各暖房端末Ｈ１〜Ｈ６の暖房運転を停止した後に、各対応表Ｔ１〜Ｔ６の修正をリセットしてもよい。
【０１０３】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【０１０４】
２          ：給湯暖房システム
１０        ：タンク
２０        ：タンク水循環路
２２        ：循環ポンプ
２４        ：水道水導入路
２６        ：逆止弁
２８        ：逆止弁
３０        ：水量センサ
３２        ：水道水供給源
３４        ：水量センサ
３６        ：供給路
３６ａ      ：混合弁
３６ｂ      ：バイパス路
３６ｃ      ：バイパス制御弁
３８        ：給湯栓
５０        ：ヒートポンプ
５２        ：冷媒循環路
５４        ：熱交換器
５６        ：ファン
５８        ：三流体熱交換器
６０        ：膨張弁
６２        ：圧縮機
７０        ：シスターン
７１        ：暖房用水循環路
７２        ：暖房往路
７４        ：循環ポンプ
７９        ：サーミスタ
８１        ：バーナ加熱装置
８２        ：バーナ加熱装置
８４        ：暖房復路
８６        ：サーミスタ
８８        ：熱回収路
９０        ：調整弁
９４        ：バイパス路
９６        ：循環流路
９９        ：サーミスタ
１００      ：制御装置
１０４      ：給湯系統
１０６      ：ヒートポンプ系統
１０８      ：暖房系統
２００      ：記憶装置
３００      ：ＨＥＭＳ
Ｃ          ：リモコン
Ｈ          ：暖房端末
Ｒ          ：部屋
Ｔ          ：対応表
Ｖ          ：熱動弁
【図１】
2018009724.tif 000003
【図２】
2018009724.tif 000004
【図３】
2018009724.tif 000005
【図４】
2018009724.tif 000006
【図５】
2018009724.tif 000007
【図６】
2018009724.tif 000008
【図７】
2018009724.tif 000009
【図８】
2018009724.tif 000010
【図９】
2018009724.tif 000011
【図１０】
2018009724.tif 000012
【図１１】
2018009724.tif 000013